(57)【特許請求の範囲】
【請求項１】
流体管の外径とほぼ等径をなす流入口部と流出口部とを有する密封状のケ−スと、前記ケース内には、下端部が開口しているとともに下端部外周に筒状片が固着され外部より回転操作可能として収容するようにした円筒形のフィルタ部材と、前記フィルタ部材の外周面に近接して開口する吸引口を有するとともに開閉弁を介して大気と連通するように設けてなる吸引管と、前記ケ−ス内の底面上に立設されるとともに外周面に前記流出口部側と連通する流出口を有し、開口した上端部には前記フィルタ部材に固着された前記筒状片が回転可能に嵌合される嵌合部が形成される円筒状の隔壁と、を備え、前記流体管の両切断開口部に前記ケースの流入口部と流出口部とを整合させたのち、前記流体管の外周面と密接しながら管軸方向に摺動可能な継輪を押動することにより、前記ケースの流入口部と流出口部とを前記流体管の両切断開口部に密封状に接続させるとともに、前記ケース内に前記流入口部より流入した流体を前記フィルタ部材の外側から内側へ流通させ前記フィルタ部材の下端部から前記隔壁の前記流出口を介して前記流出口部より流出させるようにすることを特徴とする夾雑物除去装置。
【請求項２】
前記ケース体の上部に上部開口端が形成され、前記上部開口端が上蓋により密閉されているとともに、前記フィルタ部材の上端の中心に回転軸が固着されており、前記回転軸と前記吸引管とが前記上蓋を貫通して上方に突出している請求項１に記載の夾雑物除去装置。
【発明の詳細な説明】
【０００１】
【発明の属する技術分野】
本発明は、流体中に混入している夾雑物を除去するための夾雑物除去装置に関する。
【０００２】
【従来の技術】
例えば、水道本管等の流体管においては、その上流側に分岐管を取付ける工事がしばしば行われる。この工事には、流体管の穿孔又は切断工程が含まれるため、それらの工程において金属粉が発生したり、穿孔により露呈した金属部に錆が発生するなどして、これら金属粉や錆が水道水中に混入するという問題がある。
【０００３】
しかも、上記穿孔や配管工事は、地中で行われるのが殆どであるため、土砂等が流体管内に流入することもある。
【０００４】
【発明が解決しようとする課題】
そこで、水質を保障するために、上記夾雑物を除去する濾過装置が種々開発されており、これを管と管との間に介在させるようにして取付けている。
【０００５】
しかし、このような濾過装置を、給水中の流体管に取付けるには、給水を一時的に停止しなければならず、水道使用者に不便を強いることになる。
【０００６】
また上記濾過装置は、長期間使用すると、フィルタに目詰まりが発生し、流水の流れに支障を来たすため、定期的にフィルタを交換する必要がある。
【０００７】
この交換作業は、上記と同様、給水を一時的に停止し、かつ装置を分解して行う必要があるため、非常に不便であった。
【０００８】
本発明は、上記問題点を解決するためになされたもので、流体の流れを止めることなく施工することができ、しかも保守作業を極めて容易に行いうるようにした夾雑物除去装置を提供することを目的としている。
【０００９】
【課題を解決するための手段】
上記目的を達成するために、本発明の装置は、流体管の外径とほぼ等径をなす流入口部と流出口部とを有する密封状のケ−スと、前記ケース内には、下端部が開口しているとともに下端部外周に筒状片が固着され外部より回転操作可能として収容するようにした円筒形のフィルタ部材と、前記フィルタ部材の外周面に近接して開口する吸引口を有するとともに開閉弁を介して大気と連通するように設けてなる吸引管と、前記ケ−ス内の底面上に立設されるとともに外周面に前記流出口部側と連通する流出口を有し、開口した上端部には前記フィルタ部材に固着された前記筒状片が回転可能に嵌合される嵌合部が形成される円筒状の隔壁と、を備え、前記流体管の両切断開口部に前記ケースの流入口部と流出口部とを整合させたのち、前記流体管の外周面と密接しながら管軸方向に摺動可能な継輪を押動することにより、前記ケースの流入口部と流出口部とを前記流体管の両切断開口部に密封状に接続させるとともに、前記ケース内に前記流入口部より流入した流体を前記フィルタ部材の外側から内側へ流通させ前記フィルタ部材の下端部から前記隔壁の前記流出口を介して前記流出口部より流出させるようにすることを特徴としている。
【００１０】
上記ケース体の上部に上部開口端が形成され、前記上部開口端が上蓋により密閉されているとともに、前記フィルタ部材の上端の中心に回転軸が固着されており、前記回転軸と前記吸引管とが前記上蓋を貫通して上方に突出しているのが好ましい。
【００１１】
本発明によると、ケース内の底面上に立設された隔壁の上端部にフィルタ部材の下端部が嵌合することにより、調節が難しいフィルタ部材と吸引口との間隔を、予めケース内に高精度に位置決めしておくことができる。
【００１２】
【発明の実施の形態】
以下、本発明の実施例を図面に基づいて説明する。
【００１３】
まず図１及び図２を参照して、本発明の方法に用いられる夾雑物除去装置１について説明する。
【００１４】
２は、有底円筒形のケ−スで、その外周面の両側下端部には、後記する流体管の外径とはほぼ等径をなす接続管２ａ、２ｂが、互いの管軸を整合させるようにして対向状に連設されている。両接続管２ａ、２ｂの開口端部には、フランジ３が設けられている。
【００１５】
ケ−ス２の上部開口端は、上蓋４により密閉されている。
【００１６】
ケ−ス２内の底面上には、流出側である右方の接続管２ａ側の外周面に流出口５を有する円筒状の隔壁６が立設され、接続管２ａ、２ｂの頂壁とほぼ等高をなす上端は開口している。接続管２ａの開口端と隔壁６の上端外周面との間の隙間及び接続管２ａに近接する隔壁６の外面とケ−ス２の内面との間は、閉塞板７ａ、７ｂにより閉塞されている。
【００１７】
ケ−ス２内の中央には、円筒形をなすメッシュ状のフィルタ部材８が、その上端の上板９の中心に固着した回転軸１０を、上蓋４に回転可能に支持することにより吊支されている。
【００１８】
フィルタ部材８の下端部は、その下端に固着した筒状片１１を、前記隔壁６の上端部にＯリング１２を介して嵌合することにより、回転可能に保持されている。
【００１９】
回転軸１０における上蓋４よりの突出端部には、回転駆動装置（図示略）に連結可能な角軸部１０ａが形成されている。
【００２０】
ケ−ス２の右方の内面とフィルタ部材８の外面との間に形成された隙間内には、有底の吸引管１３が上下方向を向いて収容され、その左側面に形成された縦長スリット状の吸引口１３ａは、フィルタ部材８の外周面に近接して開口している。このフィルタ部材８と吸引口１３ａとの間隔は、その調節が難しく、本実施例では予め、ケース内に高精度に位置決めしておくことができる。
【００２１】
吸引管１３は、上蓋４を貫通して上方に突出し、その突出端部には、開閉弁１４が取付けられている。
【００２２】
次に、上記夾雑物除去装置１を、不断水状態で流体管に取付ける要領について説明する。
【００２３】
まず図３に示すように、水道本管等の流体管１５に、夾雑物除去装置１を取付けるための取付装置１６を、水密性を保持して装着する。
【００２４】
この取付装置１６のケ−ス体１７は、下部ケ−ス１８、中間ケ−ス１９、仕切弁ケ−ス２０、及び上部ケ−ス２１により構成され、仕切弁ケ−ス２０には、仕切弁２２が、ケ−ス２０内に向かって進退可能に設けられている。
【００２５】
下部及び中間ケ−ス１８、１９の両側面には、流体管１５を挿通する半円筒形のフランジ２３が固着され、両フランジ２３には下部及び中間ケ−ス１８、１９と流体管１５との間に介設したシ−ル部材２４を押圧する押輪２５がボルト止めされている。
【００２６】
左右の押輪２５の外方の流体管１５には、割継輪セッタ−２６が嵌着されている。
【００２７】
ケ−ス体１７内における流体管１５の外周面には、１対の割継輪２７が、内外２本のＯリング２８を介して、管軸方向にスライド可能に嵌着されており、両割継輪２７は、それに着脱可能に係合された操作ロッド２９により割継輪セッタ−２６に連結されている。
【００２８】
下部ケ−ス１８の内底面中央には、夾雑物除去装置１を挿入する際の位置決め用の支持台３０が設けられている。
【００２９】
このような構成の取付装置１６を流体管１５に装着したのち、図４に略示するように、上部ケ−ス２１の上蓋３１に切断機３２を取付け、ケ−ス体１７内に収容した円筒形のカッタ−３３により、流体管１５を所定長に亘って切断する。
【００３０】
切断された管１５ａは、カッタ−３３内に保持されて引き上げられる。
【００３１】
ついで、仕切弁２２を想像線のように仕切弁ケ−ス２０内に進入させて、流体管１５よりの水の流出を阻止したのち、切断機３２を取外し、その代わりに、図５に示すように、支持装置（図示略）の下端に吊支された夾雑物除去装置１を上部ケ−ス２１内に挿入する。
【００３２】
ついで、図６に示すように、仕切弁２２を開いて、夾雑物除去装置１を下部ケ−ス１８の支持台３０に当接するまで下降させ、流体管１５の切断開口部と夾雑物除去装置１の両接続管２ａ、２ｂの開口端とを整合させる。
【００３３】
ついで、図７に示すように、割継輪セッタ−２６を操作して、両割継輪２７を操作ロッド２９により夾雑物除去装置１側に押動し、その先端のフランジ２７ａを、接続管２ａ、２ｂの各フランジ３に当接させる。
【００３４】
これにより、夾雑物除去装置１は流体管１５に接続され、Ｏリング２８により接続部の水密性が保持される。
【００３５】
最後に、ケ−ス体１７内の水を図示しないドレンより排水したのち、上部ケ−ス２１、仕切弁ケ−ス２０、割継輪セッタ−２６、押輪２５、中間ケ−ス１９、下部ケ−ス１８の順に取外せば、図８に示すように、夾雑物除去装置１の取付けが完了する。
【００３６】
流体管１５を流通する水は、矢印で示すように、左方の接続管２ｂより流入してフィルタ部材８内に入り込み、この際に夾雑物が除去される。
【００３７】
夾雑物の除去された水は、筒状片１１を通って下方に流れ、隔壁６に形成された流出口５より右方の接続管２ａに流入し、再び流体管１５に流れ込む。
【００３８】
長期間の使用により、フィルタ部材８が目詰まりを起こした際には、まず吸引管１３における開閉弁１４の上方の端部に、作業用ピットの外部に排水するのに必要な所定長の排水管３４を接続したのち、開閉弁１４を開く。
【００３９】
すると、図８の想像線のように、フィルタ部材８内を流通している水が、吸引口１３ａより吸引管１３内に流入し、排水管３４より外部に排水される。
【００４０】
この際の吸引口１３ａに流入する水の圧力により、フィルタ部材８に付着した夾雑物が洗浄除去され、水と共に外部に排出される。
【００４１】
従って、回転軸１０の角軸部１０ａに取付けた回転駆動装置により、フィルタ部材８を緩速で複数回回転させれば、その全周に付着した夾雑物が除去される。
【００４２】
夾雑物の洗浄除去作業が終了した後は、開閉弁１４を閉じて排水管３４を取外せば良い。なお、本発明は上記水道管以外の流体管にも適応しうるのは言うまでもない。
【００４３】
【発明の効果】
本発明は以下の効果が得られる。
本発明によると、ケース内の底面上に立設された隔壁の上端部にフィルタ部材の下端部が嵌合することにより、調節が難しいフィルタ部材と吸引口との間隔を、予めケース内に高精度に位置決めしておくことができる。
【００４４】
【図面の簡単な説明】
【図１】  本発明の方法に用いられる夾雑物除去装置の縦断側面図である。
【図２】  図１におけるＩＩ−ＩＩ線に沿う横断平面図である。
【図３】  本発明における流体管にケ−ス体を装着した状態を示す縦断側面図である。
【図４】  同じく、切断機による流体管の切断工程を示す概略縦断面図である。
【図５】  同じく、仕切弁により止水して上部ケ−ス内に夾雑物除去装置を挿入した状態を示す概略縦断面図である。
【図６】  同じく、夾雑物除去装置を流体管の切断部分まで挿入した状態を示す概略縦断面図である。
【図７】  同じく、割継輪を押動して流体管に夾雑物除去装置を接続した状態を示す縦断側面図である。
【図８】  同じく、ケ−ス体を流体管より取外した状態を示す縦断側面図である。
【符号の説明】
１            夾雑物除去装置
２            ケ−ス
２ａ、２ｂ    接続管（流出入口部）
３            フランジ
４            上蓋
５            流出口
６            隔壁
７ａ、７ｂ    閉塞板
８            フィルタ部材
９            上板
１０          回転軸
１０ａ        角軸部
１１          筒状片
１２          Ｏリング
１３          吸引管
１３ａ        吸引口
１４          開閉弁
１５          流体管
１６          取付装置
１７          ケ−ス体
１８          下部ケ−ス
１９          中間ケ−ス
２０          仕切弁ケ−ス
２１          上部ケ−ス
２２          仕切弁
２３          フランジ
２４          シ−ル部材
２５          押輪
２６          割継輪セッタ−
２７          割継輪
２８          Ｏリング
２９          操作ロッド
３０          支持台
３１          上蓋
３２          切断機
３３          カッタ−
３４          排水管
【図１】
0003762037.tif 000002
【図２】
0003762037.tif 000003
【図３】
0003762037.tif 000004
【図４】
0003762037.tif 000005
【図５】
0003762037.tif 000006
【図６】
0003762037.tif 000007
【図７】
0003762037.tif 000008
【図８】
0003762037.tif 000009